【手続補正書】
【提出日】平成26年8月7日(2014.8.7)
【手続補正１】
【補正対象書類名】明細書
【補正対象項目名】００１２
【補正方法】変更
【補正の内容】
【００１２】
【表１】
2013537722.tif 000001
【手続補正２】
【補正対象書類名】明細書
【補正対象項目名】００２１
【補正方法】変更
【補正の内容】
【００２１】
筺体102の上側面108は、一般的に細長い開口部116を伴い形成され、そこを通し、以下で記載する熱遮断要素の一部分が、装置100の状態を視覚的に示すために突出される。筺体102の下側面110は、同様に（図示されていない）開口部を含み、そこで、指示タブ204が、装置の状態の視覚的指示を提供するため突出される。
【手続補正３】
【補正対象書類名】明細書
【補正対象項目名】００２３
【補正方法】変更
【補正の内容】
【００２３】
ブレード（blade）端子120と122は、示された実施例において、筐体102の下側面110から伸びている。ブレード端子120と122は、面取りした先端とそこを通る開口部を有する一般的に平らな導電性要素である。更に、ブレード端子120と122は、空間的に離れて、互いにオフセット（offset）され、しかし一般的に平行な平面である。第１の端子120は、後側面104により近く、後側面104に対する平行面で伸び、一方、端子122は前側面106により近く、前側面106に対する平行面で伸びる。端子のその他の構成は、その他の実施例において可能であり、示されたブレード端子が必ずしも必要でないということが認識される。即ち、ブレードタイプの端子以外の端子が、以下に簡単に記載するように、電気回路に電気的接続を確立するために、必要であれば、同様に提供することができる。
【手続補正４】
【補正対象書類名】明細書
【補正対象項目名】００２４
【補正方法】変更
【補正の内容】
【００２４】
ブレード端子122と120は、回路基板、又は電気回路に接続されたその他の装置へのプラグイン接続で、電源供給ライン（power line）124、及び128で示される接地ライン、接地面又は中性線（neutral line）とそれぞれ接続することができる。以下に記載するバリスタ要素は、端子120と122の間に、装置100内で接続される。バリスタ要素は、電源供給ライン124での過電圧状態の事象において、接地への低インピーダンス経路を供給する。接地への低インピーダンス経路は、そうしなければ潜在的に損害を与える電流を電源供給ライン124に接続された下流の（downstream）電気回路から離して、避けるように効果的に導く。通常動作状態において、バリスタが、電源供給ライン124の電流を効果的に引き込まず、電圧に影響を及ぼさないよう、バリスタは、高インピーダンス経路を供給する。バリスタは、単独で、又はその他の装置100との組み合わせのどちらか一方において、電源供給ライン124の電圧を管理するため、高インピーダンスと低インピーダンスモードの間を切り替えることができる。更に、そして以下に説明するように、バリスタが壊滅的に破壊されないであろうことを保証するため、電源供給ライン124において異なり動作する過電圧状態に応答して、少なくとも2つの動作の別個のモードで、バリスタは電源供給ライン124から遮断することができる。一旦遮断されると、装置100は、取り除かれ、置き換えられなければならない。
【手続補正５】
【補正対象書類名】明細書
【補正対象項目名】００２９
【補正方法】変更
【補正の内容】
【００２９】
バリスタ134は、酸化金属バリスタ（MOV）など、非線形のバリスタ要素である。MOVはよく理解されたバリスタ要素であるため、ここでは、詳細には記載しないが、ただし、バリスタは、対向する、一般的に平行な面又は側面150と152、そしてわずかに丸めた角を有する一般的に長方形の構成に形成されている。バリスタ134は、一般的に一定の厚さを有し、全体的に同一（solid）である（即ち、何らかの窪み（void）や開口（opening）を含まない）。それらは技術的に理解されているが、MOVは、高インピーダンス状態又はモードから低インピーダンス状態またはモードへ切り替えるため、印加された電圧に応答する。バリスタは状態を切り替えて、過電圧状態における熱を消散させ、ここで、端子120と122の間に掛けられた電圧は、バリスタにおける制限（clamping）電圧を超え、これにより、バリスタが電流を電気接地へ分流させるために導電性になる。
【手続補正６】
【補正対象書類名】明細書
【補正対象項目名】００４４
【補正方法】変更
【補正の内容】
【００４４】
指示タブ206は、短絡遮断要素140の保持部194内の開口198（図４）を通して挿入され、バネ216、218は、（更に図１４に示されるように）レール196の上部端に置かれ、保持部194に対して上方向に向けられたバイアス力を与える。通常動作において、接触部190は、プレート接点164（図７）にはんだ付けされるため、バイアス力は、はんだ付けされた接合を打開するのに不十分であり、接触部190は、静的に均衡し、定位置を維持する。しかし、低〜中程度であるが持続された過電圧状態においてなど、はんだ付けされた接合が弱められるとき、保持部194上に働くバイアス力は、弱められたはんだ付け接合を圧倒し、接触部190をプレート接点164から取り離すことになる。
【手続補正７】
【補正対象書類名】特許請求の範囲
【補正対象項目名】全文
【補正方法】変更
【補正の内容】
【特許請求の範囲】
【請求項１】
過渡電圧サージ抑制装置であって、
非導電性筺体と、
バリスタアセンブリと、
を有し、
前記バリスタアセンブリは、
前記筺体内に固定的に取り付けられ、対向する第１及び第２の主側面を有する絶縁基本プレートと、
対向する第１及び第２の主側面を有するバリスタ要素と、
短絡遮断要素と、
を有し、
前記バリスタ要素の前記対向する第１及び第２の主側面の１つは、前記絶縁基本プレートの前記対向する第１及び第２の主側面の１つに表面実装され、
前記バリスタ要素は、印加電圧に応じて、高インピーダンスモードと低インピーダンスモードで動作可能であり、
前記絶縁基本プレートは、前記バリスタ要素と前記短絡遮断要素との間に挟まれる、過渡電圧サージ抑制装置。
【請求項２】
前記短絡遮断要素は、複数の弱スポットを伴い形成される柔軟な導体を有する、請求項１に記載の過渡電圧サージ抑制装置。
【請求項３】
前記短絡遮断要素に取り付けられ、そこから伸びる第１の端子を更に有する、請求項２に記載の過渡電圧サージ抑制装置。
【請求項４】
前記第１の端子は、前記筺体の１つの側面から突出するブレード接点を有する、請求項３に記載の過渡電圧サージ抑制装置。
【請求項５】
前記短絡遮断要素に連結され、動作の第１の遮断モードにおいて動作可能な熱遮断要素を更に有する、請求項１に記載の過渡電圧サージ抑制装置。
【請求項６】
前記熱遮断要素は、動作の前記第１の遮断モードにおいて、前記短絡遮断要素の一部分を動かして、曲げるよう構成される、請求項５に記載の過渡電圧サージ抑制装置。
【請求項７】
前記熱遮断要素は、バネによりバイアスがかけられる、請求項５に記載の過渡電圧サージ抑制装置。
【請求項８】
前記熱遮断要素は、対向する側面を持つ非導電性の本体を有し、該対向する側面には各々縦方向のスロットが形成され、前記短絡遮断要素は、第１及び第２のレールを伴い形成され、前記第１及び第２のレールは、第１及び第２の前記縦方向のスロットの各々に受け入れられる、請求項５に記載の過渡電圧サージ抑制装置。
【請求項９】
前記絶縁基本プレートは、導電性接点を備え、前記短絡遮断要素の一部分は、低温度のはんだを用いて前記導電性接点にはんだ付けされ、前記はんだ付けされた接続が弱められるとき、前記熱遮断要素は、前記短絡遮断要素の一部分を前記導電性接点から引き離す、請求項５に記載の過渡電圧サージ抑制装置。
【請求項１０】
前記短絡遮断要素に取り付けられ、直線軸に沿って移動可能な熱遮断要素を更に有する、請求項１に記載の過渡電圧サージ抑制装置。
【請求項１１】
前記熱遮断要素の一部分は、遮断位置にあるとき、前記筺体の一部分を通して突出するように構成され、動作の熱遮断モードの視覚的表示を提供する、請求項１０に記載の過渡電圧サージ抑制装置。
【請求項１２】
前記絶縁基本プレートは、約0.75 mmから約1 mmの厚さを有する、請求項１に記載の過渡電圧サージ抑制装置。
【請求項１３】
前記短絡遮断要素は、一般的に平面であり、約0.004インチより少ない厚さを有する、請求項１に記載の過渡電圧サージ抑制装置。
【請求項１４】
前記バリスタアセンブリは、第１の側面及び第２の側面を有し、前記筺体は、前記バリスタアセンブリの前記第１の側面を実質的に内包し、前記バリスタアセンブリの前記第２の側面を実質的に露出する、請求項１に記載の過渡電圧サージ抑制装置。
【請求項１５】
前記バリスタ要素は、カプセル化されない、請求項１に記載の過渡電圧サージ抑制装置。